(57)【要約】【課題】本発明の目的は、患者、特に重症患者の体重測定を簡単な操作で精度良く行える患者の体重測定装置を提供することにある。【解決手段】患者３をエアマット１で保持した状態で電磁弁７を開にて空気を排出しエアマット１のマット内部圧力を漸次低下させる。エアマット１の内部圧力とエアマット１に加わる患者３を含む荷重とが平衡状態におけるマット内部圧力に基づき患者３の体重を求める。【選択図】  図１
2004271368.tif 000002
【特許請求の範囲】
【請求項１】
患者を保持するエアマットと、前記エアマットの内部圧力を検出する圧力検出手段と、前記エアマットのマット内部圧力を漸次低下させる圧力調整手段と、前記エアマットの内部圧力と前記エアマットに加わる荷重とが平衡状態における前記圧力検出手段で検出したマット内部圧力に基づき前記患者の体重を求める体重演算手段とを具備することを特徴とする患者の体重測定装置。
【請求項２】
患者を保持するエアマットと、前記エアマットの内部圧力を検出する圧力検出手段と、前記エアマットの空気を排出しマット内部圧力を漸次低下させる圧力調整手段と、前記圧力検出手段で検出したマット内部圧力が略一定圧力となる前記マット内部圧力により前記患者の体重を求める体重演算手段とを具備することを特徴とする患者の体重測定装置。
【請求項３】
患者を予め定めた同じ姿勢で保持するエアマットと、前記エアマットの内部圧力を検出する圧力検出手段と、前記エアマットの空気を排出しマット内部圧力を漸次低下させる圧力調整手段と、前記圧力検出手段で検出したマット内部圧力が略一定圧力となり前記エアマットの内部圧力と前記エアマットに加わる荷重が平衡状態にある前記マット内部圧力を入力して前記患者の前記エアマットに対する有効投影面積により前記患者の体重を求める体重演算手段とを具備することを特徴とする患者の体重測定装置。
【請求項４】
患者を予め定めた同じ姿勢で保持するエアマットと、前記エアマットの内部圧力を検出する圧力検出手段と、前記エアマットの空気を排出しマット内部圧力を漸次低下させる電磁弁と、前記圧力検出手段で検出したマット内部圧力をサンプリングして取込み、前記マット内部圧力が略一定状態になった前記マット内部圧力と予め設定した前記患者の前記エアマットに対する有効投影面積により前記患者の体重を求める体重演算手段とを具備することを特徴とする患者の体重測定装置。
【請求項５】
患者のベットに設置され、患者を予め定めた同じ姿勢で保持するエアマットと、前記エアマットに載置されたマットレスと、前記エアマットの内部圧力を検出する圧力検出手段と、前記エアマットの空気を排出しマット内部圧力を漸次低下させる電磁弁と、前記圧力検出手段で検出した前記マット内部圧力をサンプリングして取込み、前記マット内部圧力と前記エアマットに加わる荷重とが平衡状態になり前記マット内部圧力が略一定状態になったことを判定し、略一定状態になった前記マット内部圧力と予め設定した前記患者の前記エアマットに対する有効投影面積により前記患者の体重を求める体重演算手段とを具備することを特徴とする患者の体重測定装置。
【発明の詳細な説明】
【０００１】
【発明の属する技術分野】
本発明は加療中の患者、特に重傷患者に負担をかけることなく患者の体重測定を行える患者の体重測定装置に関する。
【０００２】
【従来の技術】
【特許文献１】特開２０００―２１４号公報
【特許文献２】特開２００２―７１４４０号公報
近年、高齢者に対する介護負担が増大し、特に在宅介護の場合には常に気を配る必要があり、家族が夜間介護する場合の労力は計り知れないものがある。その結果、介護する人に過大な負担を強いることになる。また、病院、介護施設等においては、就寝中に看護師が常に患者に付き添う訳にもいかず、定期的な回診、または異常時の通報で患者の健康状態を把握することで対処している。
【０００３】
日々変化する患者や被介護者の体調は徐々に変化が起きる場合も多く、この種の変化を検出して治療や介護作業に反映できれば、患者や被介護者の健康を維持するのに役立つものとなる。特に睡眠中の患者や被介護者に対しては検査が難しく、身体的変化については殆ど知ることができない状況である。
【０００４】
患者（被介護者を含む）に身体的及び精神的負担を与えずに、被介護者の健康状態を無侵襲、すなわち無拘束でかつ継続的に把握する方法として、患者の身体の下にエアマットを敷いて、そのエアマットに加わる圧力変化に基づき患者の心拍数、呼吸数、イビキ回数、寝返り回数等を測定する技術が提案されている。このことは、例えば、上記特許文献１に記載されている。
【０００５】
一方、患者、特に重症患者については診断で得た多くの診断データに基づき今後の治療方針が決定される。今後の治療方針で重要なことは水分投与量と栄養分投与量である。水分投与量と栄養分投与量が適切であるかは患者の体重により把握できる。
【０００６】
従来、患者（特に重症患者）の体重測定は患者ベットに敷いたマットレスを患者ベットの幅方向に移動させるようにし、患者のベット幅方向の重心位置を変えてベットの長手方向の一端を持上げた重量差により体重測定することが提案されている。このことは、例えば、上記特許文献２に記載されている。
【０００７】
【発明が解決しようとする課題】
従来技術は、患者のベット幅方向の重心位置を変え、ベットの長手方向の一端を持上げた重量によって測定している。しかしながら、患者を移動させなければならず操作が面倒であり、また、患者の体重に比べ患者ベットの重量が大きいために測定誤差が大になるという問題点を有する。
【０００８】
水分投与量と栄養分投与量が適切であるかを判断するには１００ｇ単位程の精度で患者の体重を測定することが要求される。そのため、患者（特に重症患者）の体重測定を簡単に精度良くできる技術の開発が強く要望されている。
【０００９】
本発明の目的は、患者、特に重症患者の体重測定を簡単な操作で精度良く行える患者の体重測定装置を提供することにある。
【００１０】
【課題を解決するための手段】
本発明の特徴とするところは、患者をエアマットで保持してエアマットのマット内部圧力を漸次低下させ、エアマットの内部圧力とエアマットに加わる荷重とが平衡状態におけるマット内部圧力に基づき患者の体重を求めるようにしたことにある。
【００１１】
換言すると、本発明は患者ベットにエアマットを敷いてエアマットのマット内部圧力を漸次低下させ、マット内部圧力とエアマットに加わる荷重とが平衡状態になりマット内部圧力が略一定圧力となるマット内部圧力に基づき患者の体重を求めるようにしたことにある。
【００１２】
本発明は患者をエアマットで保持してエアマットのマット内部圧力を漸次低下させ、マット内部圧力とエアマットに加わる荷重とが平衡状態におけるマット内部圧力に基づき患者の体重を測定しており、エアマットの空気排出という簡単な操作で精度良く体重を測定することができる。
【００１３】
【発明の実施の形態】
図１に本発明の一実施例を示す。
図１において、エアマット１の上にマットレス（寝具）２が敷かれ患者３が仰向けの姿勢で横になっている。エアマット１は図示しない患者ベットの上に設置され、患者３を保持している。エアマットは上生地１ａと下生地１ｂとで密閉された偏平な袋状に形成されている。上下生地１ａ、１ｂは、例えば布入り合成ゴム、テトロン樹脂、ポリウレタン樹脂等の気密性を備えたシートが使用され、適当な可撓性と強度を有するものを選定する。生地１ａ、１ｂの上下内側間隔は数ｃｍ程度である。
【００１４】
エアマット１はエアチューブ５を介して接続されている電磁弁４から空気を図示矢印方向に圧送される。エアマット１の内部は空気の圧入により圧力が大気圧より高い状態になる。空気は図示しないエアポンプにより圧送される。また、エアマット１はエアチューブ８を介して電磁弁７が接続されている。エアマット１の内部に封入されている空気は電磁弁７を開操作すると大気に排出される。
【００１５】
エアマット１にはエアチューブ９を介して圧力センサ１０が接続されている。端末装置１１はマイクロコンピュータなどで体重演算手段を構成し、圧力センサ１０で検出したエアマット１のマット内部圧力を所定のサンプリング周期でサンプリングして取込み、マット内部圧力が略一定圧力になると患者３の体重を演算により求める。圧力センサ１０で検出したマット内部圧力は患者３の他の生体データ測定にも用いられる。
【００１６】
この構成において、患者３の体重を測定するには電磁弁４を開操作してエアマット１内部に空気を圧送して所定圧力にして電磁弁４を閉操作する。エアマット１に空気を封入した後にマットレス２の上に患者３を仰向けの姿勢で横にする。この状態における患者３のエアマット１に対する有効投影面積３Ａは図２にハッチングを施した領域になる。患者３の有効投影面積３Ａはエアマット１の受圧面積になる。
【００１７】
エアマット１の内部圧力をＰ、患者３の有効投影面積３ＡをＡ、患者３の重量（体重）をＷ１、マットレス２の重量をＷ２、衣類などの重量をＷ３とすると次式が成立する。
【００１８】
Ｐ×Ａ＝Ｗ１＋Ｗ２＋Ｗ３        …（式１）
エアマット１に空気が充填され膨張している状態ではエアマット１の張力も式１の左辺に含まれる。エアマット１が膨張している状態における内部圧力をＰ１とする。
【００１９】
この状態で電磁弁７を開操作してエアマット１内部の空気を外部に排出する。電磁弁７の開度はマット内部圧力Ｐが漸次低下する開度にする。エアマット１の内部圧力Ｐは図３に示すように時刻ｔ０に電磁弁７を開すると圧力Ｐ１から徐々に低下し時刻ｔ１で圧力Ｐ２になる。時刻ｔ０と時刻ｔ１の間は１分〜２分程度である。
【００２０】
時刻ｔ１の圧力Ｐ２は単位面積（有効投影面積Ａ）当りの荷重（Ｗ１＋Ｗ２＋Ｗ３）と平衡状態にある圧力値である。マット内部圧力Ｐ２と荷重（Ｗ１＋Ｗ２＋Ｗ３）が平衡状態であることはエアマット１の上生地１ａと下生地１ｂが接触する直前の状態である。平衡状態の圧力Ｐ２は電磁弁７から排出する空気量によるが時刻ｔ１から時刻ｔ２までの数秒間だけ継続する。つまり、エアマット１の内部圧力Ｐは数秒間だけ圧力値Ｐ２に略等しい一定値になる。図３は時刻ｔ１から時刻ｔ２の間を大きく示している。
【００２１】
端末装置１１は圧力センサ１０で検出したマット内部圧力Ｐを所定のサンプリング周期（例えば、２０ｍｍｓ）でサンプリングする。端末装置１１はサンプリング毎に数回のサンプリング値の移動平均値を求め、サンプリング毎の平均値の差が小さいときに平衡状態圧力（一定値）Ｐ２であると判断する。この状態ではエアマット１が弛んでおり、張力はほとんど零になる。
【００２２】
端末装置１１は平衡状態圧力Ｐ２を用いて式１によって患者３の体重を演算により求める。式１のマットレス２の重量をＷ２、衣類などの重量をＷ３は既知であり、患者３の有効投影面積Ａは予め測定し定数として設定してある。
【００２３】
なお、患者３の有効投影面積Ａは最初に患者３の実体重を体重計で測定し、式１により求めるようにする。したがって、同一の患者３については予め定めた同じ姿勢でエアマット１に横にさせる必要がある。ただし、同一の患者３について異なる姿勢毎の有効投影面積Ａをそれぞれ求めて端末装置１１に設定しておき、体重測定する患者姿勢によって定数としての有効投影面積Ａを使い分けて体重測定することもできる。
【００２４】
このように体重を測定し時刻ｔ２になりエアマット１の上生地１ａと下生地１ｂが接触するとマット内部圧力Ｐは図３のように低下する。体重測定が終了したら電磁弁７を閉操作し、その後に電磁弁４を開にしてエアマット１に空気を圧送する。エアマット１に十分な空気が充填されたら電磁弁４を閉操作する。
【００２５】
このようにして患者の体重を測定するのであるが、患者をエアマットで保持してエアマットのマット内部圧力を漸次低下させ、マット内部圧力とエアマットに加わる荷重とが平衡状態におけるマット内部圧力に基づき患者の体重を測定しており、エアマットの空気を排出するという簡単な操作で精度良く体重測定を行うことができる。
【００２６】
なお、上述の実施例は患者を仰向け姿勢に横にしているが、うつ伏せ姿勢、横向き姿勢であっても同様にして体重測定ができることは勿論のことである。
【００２７】
【発明の効果】
本発明は患者をエアマットで保持してエアマットのマット内部圧力を漸次低下させ、マット内部圧力とエアマットに加わる荷重とが平衡状態におけるマット内部圧力に基づき患者の体重を測定しており、エアマットの空気を排出するという簡単な操作で精度良く体重測定を行うことができる。
【図面の簡単な説明】
【図１】本発明の一実施例を示す構成図である。
【図２】本発明を説明するための図である。
【図３】エアマットの内部圧力特性図である。
【符号の説明】
１…エアマット、１ａ…エアマット上生地、１ｂ…エアマット下生地、２…マットレス、３…患者、４、７…電磁弁、５、８、９…エアチューブ、１０…圧力センサ、１１…端末装置。
【図１】
2004271368.tif 000003
【図２】
2004271368.tif 000004
【図３】
2004271368.tif 000005